(57)【特許請求の範囲】
【請求項１】
画像データを管理するサーバ装置と、画像供給装置とにネットワークを介して接続する情報処理装置であって、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ装置にアップロードされた前記画像データを閲覧させる閲覧者に関する閲覧者情報を入力する閲覧者情報入力手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、
前記サーバ情報と前記アドレス情報と前記閲覧者情報を用いて、個々の閲覧者が所定の装置を用いて前記サーバ装置と通信するための閲覧者設定情報を生成する閲覧者設定情報生成手段と、
前記閲覧者設定情報を前記個々の閲覧者に通知する通知手段と、を有し、
前記閲覧者情報設定情報生成手段は、前記閲覧者ごとに用意された互いに異なるＲＳＳファイルの情報をそれぞれ含むよう、前記閲覧者ごとに前記閲覧設定情報を生成することを特徴とする情報処理装置。
【請求項２】
前記画像供給装置は、撮像装置を含むことを特徴とする請求項１に記載の情報処理装置。
【請求項３】
前記サーバ情報は、前記サーバ装置で利用可能な前記ＲＳＳファイルの形式及びテンプレート情報の少なくともいずれかを含み、
前記設定情報生成手段は、前記サーバ装置で利用可能な前記ＲＳＳファイルの形式及びテンプレート情報の少なくともいずれかを含む前記設定情報を生成することを特徴とする請求項１または２に記載の情報処理装置。
【請求項４】
前記サーバ指定手段で指定された前記サーバ装置に接続するためのユーザ情報を入力するためのユーザ情報入力手段をさらに含み、
前記アドレス情報は、前記ユーザ情報に対応した画像データ及び少なくとも当該画像データの更新情報を管理するＲＳＳファイルを含む前記管理データの、前記サーバ装置におけるアップロード場所を示すことを特徴する請求項１乃至３のいずれか１項に記載の情報処理装置。
【請求項５】
前記ユーザ情報はユーザアカウント情報を含み、
前記設定情報は、前記サーバ装置で利用可能な前記管理データに含まれる前記ＲＳＳファイルの形式及びテンプレート情報の少なくともいずれか、前記管理データのファイル名、前記管理データのアップロード場所を示すアドレス情報、画像データのアップロード場所を示すアドレス情報、及びユーザアカウント情報を含むように生成されることを特徴とする請求項４に記載の情報処理装置。
【請求項６】
前記ＲＳＳファイルの形式は、ＲＳＳ又はＡｔｏｍシンディケーションデータのフォーマット情報とバージョン情報とを含むことを特徴とする請求項１乃至５のいずれか１項に記載の情報処理装置。
【請求項７】
前記閲覧者情報は、閲覧者のメールアドレスを含み、
前記通知手段は、前記個々の閲覧者の前記閲覧者設定情報を、前記メールアドレスを用いてメールで通知することを特徴とする請求項１乃至６のいずれか１項に記載の情報処理装置。
【請求項８】
前記閲覧者情報は、前記個々の閲覧者に対応した前記管理データのアップロード場所を示すアドレス情報と、前記管理データに含まれる前記ＲＳＳファイルの形式及びテンプレート情報の少なくともいずれかを示す情報とを含むことを特徴とする請求項１乃至７のいずれか１項に記載の情報処理装置。
【請求項９】
画像データを管理するサーバ装置と画像供給装置とにネットワークを介して接続する情報処理装置の制御方法であって、
サーバ指定手段が、前記サーバ装置を指定するサーバ指定工程と、
サーバ接続手段が、前記サーバ指定工程で指定された前記サーバ装置に接続するサーバ接続工程と、
取得手段が、前記サーバ装置における、前記画像データ及び少なくとも当該画像データの更新情報を管理するＲＳＳファイルを含む管理データのアップロード場所を示すアドレス情報を、前記サーバ接続工程で接続された前記サーバ装置から取得する取得工程と、
サーバ情報取得手段が、前記サーバ装置で利用可能な前記ＲＳＳファイルの情報を含むサーバ情報を前記サーバ装置から取得するサーバ情報取得工程と、
閲覧者情報入力手段が、前記サーバ装置にアップロードされた前記画像データを閲覧させる閲覧者に関する閲覧者情報を入力する閲覧者情報入力工程と、
設定情報生成手段が、前記サーバ情報と前記アドレス情報とを用いて前記画像供給装置が前記サーバ装置と通信するための設定情報を生成する設定情報生成工程と、
設定情報出力手段が、前記設定情報生成工程で生成された前記設定情報を前記画像供給装置に出力するための設定情報出力工程と、
閲覧者設定情報生成手段が、前記サーバ情報と前記アドレス情報と前記閲覧者情報を用いて、個々の閲覧者が所定の装置を用いて前記サーバ装置と通信するための閲覧者設定情報を生成する閲覧者設定情報生成工程と、
通知手段が、前記閲覧者設定情報を前記個々の閲覧者に通知する通知工程と、を有し、
前記閲覧者情報設定情報生成手段は、前記閲覧者ごとに用意された互いに異なるＲＳＳファイルの情報をそれぞれ含むよう、前記閲覧者ごとに前記閲覧設定情報を生成することを特徴とする情報処理装置の制御方法。
【請求項１０】
コンピュータを、画像データを管理するサーバ装置と、画像供給装置とにネットワークを介して接続する情報処理装置として機能させるプログラムであって、前記コンピュータを、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ装置にアップロードされた前記画像データを閲覧させる閲覧者に関する閲覧者情報を入力する閲覧者情報入力手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、
前記サーバ情報と前記アドレス情報と前記閲覧者情報を用いて、個々の閲覧者が所定の装置を用いて前記サーバ装置と通信するための閲覧者設定情報を生成する閲覧者設定情報生成手段と、
前記閲覧者設定情報を前記個々の閲覧者に通知する通知手段と、を有し、
前記閲覧者情報設定情報生成手段が、前記閲覧者ごとに用意された互いに異なるＲＳＳファイルの情報をそれぞれ含むよう、前記閲覧者ごとに前記閲覧設定情報を生成する情報処理装置として機能させることを特徴とするプログラム。
【発明の詳細な説明】
【技術分野】
【０００１】
本発明は、画像データと前記画像データの管理データとを管理するサーバ装置と画像供給装置とにネットワークを介して接続される情報処理装置及びその制御方法に関するものである。
【背景技術】
【０００２】
近年のデジタルカメラの普及に伴い、撮影したデジタル画像データを容易にメモリに保存して残すことができる。更に、その撮影した画像データを他人と共有したいという要望も増えている。そして無線技術やネットワーク技術の進歩に伴い、デジタルカメラから直接、画像データをインターネット上のサーバ装置にアップロードして複数の人が閲覧できるシステムも登場している。
【０００３】
このようなサーバ装置に接続可能なデジタルカメラでは、画像データをサーバ装置にアップロードする前に、少なくとも一度、デジタルカメラとサーバ装置とを接続するための設定を行う必要がある。このデジタルカメラとサーバ装置との接続設定をする手法が特許文献１に記載されている。
【０００４】
特許文献１では、カメラ（デバイス）を一意に識別するＩＤを、ネットワークを介してカメラからサーバ装置に送信する。これによりサーバ装置は、そのＩＤに基づいてアカウント情報を生成してカメラに送信する。これによりカメラは、その受信したアカウント情報をカメラに記録し、接続時にそのアカウント情報に基づいてサーバ装置との接続設定を行う。
【特許文献１】特表２００４−５１９１１５号公報
【発明の開示】
【発明が解決しようとする課題】
【０００５】
しかしながら上記特許文献１の例では、カメラが特定のサーバ装置のアドレスを知っていることが前提であり、ユーザが自由にサーバ装置やアカウントを選ぶことができない。
【０００６】
また、そのカメラからサーバ装置にアップロードされた画像データをＰＣを使用して見る場合には、その画像データの閲覧用のアドレスを紙等に書きとめて、そのＰＣで入力する必要があり、手間がかかるという問題がある。
【０００７】
本発明の目的は上記従来技術の問題点をいずれかを解決することにある。
【課題を解決するための手段】
【０００８】
上記目的を達成するために本発明の一態様に係る情報処理装置は以下のような構成を備える。即ち、
画像データを管理するサーバ装置と、画像供給装置とにネットワークを介して接続する情報処理装置であって、
前記サーバ装置を指定するサーバ指定手段と、
前記サーバ指定手段によって指定された前記サーバ装置に接続するサーバ接続手段と、
前記サーバ装置における、前記画像データ及び少なくとも当該画像データの更新情報を管理するＲＳＳファイルを含む管理データのアップロード場所を示すアドレス情報を、前記サーバ接続手段で接続された前記サーバ装置から取得する取得手段と、
前記サーバ装置で利用可能な前記ＲＳＳファイルの情報を含むサーバ情報を前記サーバ装置から取得するサーバ情報取得手段と、
前記サーバ装置にアップロードされた前記画像データを閲覧させる閲覧者に関する閲覧者情報を入力する閲覧者情報入力手段と、
前記サーバ情報と前記アドレス情報とを用いて前記画像供給装置が前記サーバ装置と通信するための設定情報を生成する設定情報生成手段と、
前記設定情報生成手段で生成された前記設定情報を前記画像供給装置に出力するための設定情報出力手段と、
前記サーバ情報と前記アドレス情報と前記閲覧者情報を用いて、個々の閲覧者が所定の装置を用いて前記サーバ装置と通信するための閲覧者設定情報を生成する閲覧者設定情報生成手段と、
前記閲覧者設定情報を前記個々の閲覧者に通知する通知手段と、を有し、
前記閲覧者情報設定情報生成手段は、前記閲覧者ごとに用意された互いに異なるＲＳＳファイルの情報をそれぞれ含むよう、前記閲覧者ごとに前記閲覧設定情報を生成することを特徴とする。
【０００９】
上記目的を達成するために本発明の一態様に係る情報処理装置の制御方法は以下のような工程を備える。即ち、
画像データを管理するサーバ装置と画像供給装置とにネットワークを介して接続する情報処理装置の制御方法であって、
サーバ指定手段が、前記サーバ装置を指定するサーバ指定工程と、
サーバ接続手段が、前記サーバ指定工程で指定された前記サーバ装置に接続するサーバ接続工程と、
取得手段が、前記サーバ装置における、前記画像データ及び少なくとも当該画像データの更新情報を管理するＲＳＳファイルを含む管理データのアップロード場所を示すアドレス情報を、前記サーバ接続工程で接続された前記サーバ装置から取得する取得工程と、
サーバ情報取得手段が、前記サーバ装置で利用可能な前記ＲＳＳファイルの情報を含むサーバ情報を前記サーバ装置から取得するサーバ情報取得工程と、
閲覧者情報入力手段が、前記サーバ装置にアップロードされた前記画像データを閲覧させる閲覧者に関する閲覧者情報を入力する閲覧者情報入力工程と、
設定情報生成手段が、前記サーバ情報と前記アドレス情報とを用いて前記画像供給装置が前記サーバ装置と通信するための設定情報を生成する設定情報生成工程と、
設定情報出力手段が、前記設定情報生成工程で生成された前記設定情報を前記画像供給装置に出力するための設定情報出力工程と、
閲覧者設定情報生成手段が、前記サーバ情報と前記アドレス情報と前記閲覧者情報を用いて、個々の閲覧者が所定の装置を用いて前記サーバ装置と通信するための閲覧者設定情報を生成する閲覧者設定情報生成工程と、
通知手段が、前記閲覧者設定情報を前記個々の閲覧者に通知する通知工程と、を有し、
前記閲覧者情報設定情報生成手段は、前記閲覧者ごとに用意された互いに異なるＲＳＳファイルの情報をそれぞれ含むよう、前記閲覧者ごとに前記閲覧設定情報を生成することを特徴とする。
【発明の効果】
【００１０】
本発明によれば、ネットワークを介して接続されている情報処理装置から、サーバ装置の設定と画像供給装置の設定を行うことができるため、ユーザは容易に画像供給装置の設定を行い、画像供給装置とサーバ装置とを接続させることができる。
【発明を実施するための最良の形態】
【００１１】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
本実施形態に係るユーザ情報登録装置は、パーソナルコンピュータ（ＰＣ）で、本実施形態に係る機能を実行するアプリケーションプログラムが実行されることにより実現される。このＰＣは、ネットワークを介してデジタルカメラとサーバ装置に接続されている。これらデジタルカメラとサーバ装置は、画像データと管理データを管理する機能を持つ。また本実施形態で説明するユーザ情報登録装置、サーバ装置、デジタルカメラは、管理データとしてＲＳＳ（Really Simple Syndication）を使用し、サーバ装置の情報としてＲＳＳのフォーマット情報とバージョン情報を扱う。尚、この管理データの形式は、ＲＳＳ又はＡｔｏｍシンディケーションデータのフォーマット情報とバージョン情報を含むのが望ましい。このＲＳＳは、対象となるコンテンツの概要をメタデータとして記述するＸＭＬベースのフォーマットで、対象コンテンツの更新情報を表現するのに適している。しかしＲＳＳは複数のフォーマット、バージョンが存在しており、またそれぞれで記述方法が異なることから、使用者間でＲＳＳのフォーマット、バージョンを揃える必要がある。本実施形態に係るデジタルカメラとサーバ装置は、ＲＳＳを用いて画像データを管理することで、画像データの更新情報を表現することが可能となる。つまり、サーバ装置の画像データを閲覧する閲覧者は、サーバ装置にあるＲＳＳファイルを見れば、画像データの更新情報を知ることができる。
【００１３】
図１は、本実施形態に係る画像管理システムの構成を示す図である。
【００１４】
図において、１０１はサーバ装置、１０２は撮像装置（デジタルカメラ）、１０３は利用者の情報処理装置（ＰＣ）である。上述した本実施形態に係るユーザ情報登録装置は、このＰＣ１０３で実現される。１０４はネットワークで、このネットワークは例えばＬＡＮ或はインターネット等である。ここで撮像装置１０２は、画像データをサーバ装置１０１へアップロードして保存する。またＰＣ１０３は、このサーバ装置１０１にアクセスして画像データをダウンロードすることができる。
【００１５】
尚、本実施形態では、画像データをサーバ装置１０１にアップロードする画像供給装置として撮像装置１０２を用いた場合で説明するが、画像データを保持し、ネットワークに接続可能な他の画像処理装置やストレージ装置でも実現可能である。またＰＣ１０３についてもネットワークに接続可能な携帯電話などの他の通信装置等でも実現することができる。
【００１６】
図２は、本実施形態に係る撮像装置１０２の構成を示すブロック図である。
【００１７】
図２において、カメラ部２１３は、被写体の光学像を電気信号に変換する。マイクロフォン２０１は、音声を電気信号に変換する。Ａ／Ｄ変換器２０２は、アナログ信号を入力してデジタル信号に変換する。エンコーダ２０３は、デジタル画像データを圧縮符号化する（例えば、静止画データの場合はＪＰＥＧ形式、動画像データの場合はＭＪＰＥＧ形式等）。画像データ記録部２０４は、画像データのファイル（画像ファイル）を作成して記憶媒体２０５に格納する。記憶媒体２０５は、ランダムアクセス可能な記憶媒体であり、画像データなどのデジタルデータをファイルで記憶する。ネットワーク接続部２０６は、ネットワーク１０４を介して外部装置と接続して、外部装置に画像ファイルや複数の更新情報ファイルをアップロードする。操作部２０８は操作パネルやリモコン等を含み、ユーザにより操作されて各種データやコマンドを入力する。システムコントローラ２０７は、この撮像装置の全般的な動作を制御する制御部で、マイクロコンピュータを有する。デコーダ２０９は、圧縮符号化されたデジタルデータを復号する。Ｄ／Ａ変換器２１１は、デジタル信号をアナログ信号に変換する。モニタ２１０は表示部である。スピーカ２１２は、電気信号を音響信号に変換する。
【００１８】
本実施形態に係る、この撮像装置１０２を制御する制御プログラムは、システムコントローラ２０７に記憶されている。しかし、この制御プログラムがメモリカード等の記憶媒体２０５に記憶されていて、この記憶媒体２０５からシステムコントローラ２０７にロードして実行する形態でも良い。また同様に、ネットワーク上にプログラムがある場合でも本発明は適用される。
【００１９】
撮像装置１０２はネットワーク接続部２０６を介してネットワーク１０４に接続される。また画像データをアップロードする先のサーバ装置１０１にアクセスするためのアドレスを含むサーバ情報をシステムコントローラ２０７のＲＯＭに保持している。そして、撮像装置１０２はサーバ情報に含まれるアドレスに従ってサーバ装置１０１にアクセスし、保持している画像データをサーバ装置１０１へアップロードする。
【００２０】
また撮像装置１０２は、撮影した画像データをファイルとして、メモリカードなどの外部記憶装置（記憶媒体）２０５に保存し、それら画像データのメタデータに複数のカテゴリを登録することが可能である。このカテゴリは、例えば、撮像装置１０２のユーザが操作部によって任意に設定したキーワードや、画像データを撮影した際の撮影モードや撮影日時、撮像装置の機種名、撮影者、シャッター速度、フラッシュ発光の有無等の撮影情報で分類される。または撮影情報から自動的に設定されるキーワードで、例えば、撮影モードがポートレートモードであれば「人物」或は、撮影日時が８月であれば「夏」というキーワードがカテゴリとして自動的に設定される。或は、画像データの解析結果から自動的に設定されるキーワードで、例えば、画像データを顔認識して特定された人物の名前や、画像データの色を解析して特定された色味がカテゴリとして自動的に設定される。また、撮像装置１０２は画像データに付随しているメタデータの抽出機能を持ち、抽出したメタデータの項目に従って、画像データの更新情報ファイルを生成することができる。尚、メタデータは、その画像データの名称や一意に特定するための識別情報等も含む。
【００２１】
撮像装置１０２は、ユーザによるボタン操作が行われたタイミングに画像データをサーバ装置１０１にアップロードするための処理を開始する。尚、本実施形態で扱う画像データは、静止画のＪＰＥＧ、動画用のＭｏｔｉｏｎＪＰＥＧのＡＶＩとしたが、それ以外の画像データの形式であっても本発明は適用される。
【００２２】
次に図３を参照してサーバ装置１０１や利用者のＰＣ１０３を実現するコンピュータ装置（情報処理装置）のモジュール構成について説明する。
【００２３】
図３は、本実施形態に係るサーバ装置１０１やＰＣ１０３を実現するコンピュータ装置（情報処理装置）の構成を示すブロック図である。
【００２４】
図３において、３０１は、このコンピュータ装置（１０１，１０３）全体を制御するＣＰＵである。ＲＯＭ３０２は、変更を必要としないプログラムやパラメータを格納する。ＲＡＭ３０３は、外部装置などから供給されるプログラムやデータを一時記憶する。外部記憶装置３０４は、このコンピュータ装置に固定して設置されたハードディスクやメモリカード等の記憶装置である。また或はこの外部記憶装置３０４は、このコンピュータ装置から着脱可能なフロッピー（登録商標）ディスク（ＦＤ）やコンパクトディスク（ＣＤ）等の光ディスク、磁気や光カード、ＩＣカード、メモリカードなどを含む外部記憶装置でもよい。３０５はユーザの操作を受け、データを入力するポインティングデバイス、３０９は、キーボードである。表示部３０６は、このコンピュータ装置の保持するデータや供給されたデータを表示するための表示部である。ネットワークインターフェース３０７は、ネットワーク１０４と接続するためのインターフェースある。これらユニットを通信可能に接続するシステムバスである。
【００２５】
尚、このコンピュータ装置は、外部記憶装置（ＨＤＤ）３０４に記憶されたプログラムを読み出してＣＰＵ３０１に実行させてもよいし、ネットワーク上の他のＷｅｂサーバ装置からプログラムをダウンロードしてＣＰＵ３０１に実行させてもよい。
【００２６】
尚、本実施形態では、サーバ装置１０１は一つだけの構成としたが、ユーザ管理サーバ装置やアップロードサーバ装置など、目的に応じて複数のサーバ装置を用いるような構成でもよい。
【００２７】
図４は、本実施形態１に係るＰＣ１０３におけるユーザ情報登録処理の動作概要を説明するフローチャートである。尚、このフローチャートを実行するプログラムは、実行時に外部記憶装置３０４からＲＡＭ３０３にロードされており、ＣＰＵ３０１の制御の下に実行される。
【００２８】
まず、このプログラムは、表示部３０６に図５に示す画面を表示する。
【００２９】
図５は、本実施形態１に係るユーザ情報の登録画面の一例を示す図である。
【００３０】
図５において、５０１はサーバ装置１０１のアドレスの入力欄、５０２はユーザ名の入力欄，５０３はパスワードの入力欄である。ユーザ操作によりこれらの情報が入力された後、「設定」ボタン５０４がクリックされることにより、このユーザ情報登録処理に進むことができる。
【００３１】
以下図４のフローチャートについて説明する。ステップＳ１〜Ｓ４は図５の画面によるサーバ装置及びユーザ情報の入力処理を示す。先ずステップＳ１で、ユーザにサーバ装置１０１のアドレスを入力させる（サーバ指定手段に相当）。このサーバ装置のアドレスが、サーバ装置を指定する情報となる。尚、本実施形態では、サーバ装置のアドレスを、ユーザに直接入力させる例を示したが、このアドレス指定の方法は別の方法でもよい。例えば、サーバ装置のアドレスを複数の候補の中から選択するような方法でもよい。
【００３２】
図６は、このようなサーバ装置のアドレス一覧を表示し、その一覧からユーザが所望するサーバ装置のアドレスを選択する画面例を示す図である。尚、図５と共通する部分は同じ記号で示している。
【００３３】
６０１は、サーバ装置のアドレス一覧を示しており、ラジオボタンがチェックされたアドレスがサーバ装置のアドレスとして選択される。
【００３４】
次にステップＳ２で、ユーザにユーザ情報を入力させる。本実施形態では、図５に示すように、ユーザ名、パスワード等の、そのユーザに関連するユーザ情報をユーザに入力させる画面を表示する。パスワードが入力される際には、入力された文字や数字ではなく「*」を表示することにより、その入力されたパスワードを第三者が見てもわからないようにしている。次にステップＳ３に進み、「設定」ボタン５０４が指示されたかどうかを判定し、指示されるとステップＳ４に進むが、そうでないときはステップＳ１に戻ってサーバ情報及びユーザ情報の入力処理（ユーザ情報入力手段に相当）を実行する。
【００３５】
ステップＳ４では、ステップＳ１とステップＳ２でユーザによって入力された各項目の内容に問題がないかを判断する。本実施形態では、このステップで、入力していない項目がないか、またパスワードが短すぎないか等のチェックを行う。入力された項目に問題がなかった場合は、処理をステップＳ６に進める。もし入力していない項目があるなどユーザの入力に何か問題があった場合はステップＳ５に進んで、入力エラーが発生していることを表示によりユーザに知らせる。そしてステップＳ１に進む。
【００３６】
ステップＳ６では、ステップＳ１でユーザにより指定されたサーバ装置のアドレスに対応するサーバ装置に接続する（サーバ接続手段に相当）。次にステップＳ７に進み、サーバ装置１０１との接続が確立した後で、その接続したサーバ装置１０１に対してユーザアカウント情報の作成を依頼する。このユーザアカウント情報の作成依頼は、ユーザ名とパスワード情報とユーザアカウント作成依頼コマンドをサーバ装置１０１に対して送信することで実現する。ここで使用するユーザ名とパスワード情報は、ステップＳ２でユーザに入力させたユーザ情報で得られる。またステップＳ７では、作成依頼をサーバ装置１０１に対して行った後で、サーバ装置１０１からユーザアカウント情報の作成の成否に関する情報を受け取る。
【００３７】
次にステップＳ８に進み、ステップＳ６で接続したサーバ装置１０１でユーザアカウント情報が正しく生成されたかどうかを判断する。ステップＳ７でサーバ装置１０１から取得したユーザアカウント情報の作成の成否情報に基づいて判断する。ここでユーザアカウント情報の作成に成功するとステップＳ９に進み、成功しないときはステップＳ１５に進む。
【００３８】
ステップＳ９では、ステップＳ６で接続したサーバ装置１０１から画像データのアップロードアドレスを取得する。ここで取得する画像データのアップロードアドレスは、ステップＳ７でサーバ装置１０１に作成を依頼したユーザアカウント用の画像データアップロードアドレスである。次にステップＳ１０に進み、ステップＳ６で接続したサーバ装置１０１から管理データのアップロードアドレスを取得する。
【００３９】
本実施形態では、管理データファイルとしてＲＳＳファイルを使用するので、管理データのアップロードアドレスは、具体的にはＲＳＳファイルのアップロードアドレス（ＲＳＳアップロードアドレス）として使用する。ここで取得するＲＳＳアップロードアドレスは、ステップＳ７で、サーバ装置１０１に作成依頼したユーザアカウント用のＲＳＳアップロードアドレスである。ここでは管理データファイルとしてＲＳＳファイルを使用する例を示したが、それ以外のデータを使用してもよい。ここでステップＳ７からステップＳ１０までが、アドレス情報取得手段に対応する。
【００４０】
次にステップＳ１１に進み、ステップＳ６で接続したサーバ装置１０１からサーバ情報を取得する。ここではサーバ情報として、サーバ装置１０１で利用可能なＲＳＳのフォーマット情報とバージョン情報を取得する。サーバ装置１０１が複数のＲＳＳのフォーマットとバージョンを扱える場合は、扱うことができる全てのＲＳＳフォーマットとバージョン情報を取得する。本実施形態では、サーバ情報としてＲＳＳのフォーマット情報とバージョン情報を扱う例を示したが、それ以外の情報を扱うような構成でもよい。このステップＳ１１は、サーバ情報取得手段に対応する。
【００４１】
次にステップＳ１２に進み、ステップＳ２で取得したユーザ情報と、ステップＳ９とステップＳ１０で取得したアドレス情報と、ステップＳ１１で取得したサーバ情報とを使って、カメラ設定情報を生成する。カメラ設定情報とは、撮像装置１０２がサーバ装置１０１との通信に利用するための情報であり、以下の情報が含まれる。
（Ａ）画像データアップロードアドレス
（Ｂ）ＲＳＳアップロードアドレス
（Ｃ）ＲＳＳファイル名
（Ｄ）ユーザアカウント
（Ｅ）ユーザパスワード
（Ｆ）使用するＲＳＳファイルのフォーマット情報とバージョン情報
【００４２】
（Ａ）の画像データアップロードアドレスは、ステップＳ９で取得したものをそのまま使用する。
（Ｂ）のＲＳＳアップロードアドレスは、ステップＳ１０で取得したものをそのまま使用する。
（Ｃ）のＲＳＳファイル名は、本実施形態では、ユーザアカウント名に拡張子「xml」をつけたファイル名とする。例えばユーザ名が「testuser」の場合は、ＲＳＳファイル名は「testuser.xml」となる。もちろんそれ以外の方法で、ＲＳＳファイル名を決定してもよい。
（Ｄ）のユーザアカウントと（Ｅ）のパスワードは、ステップＳ２で取得したユーザ情報を使用する。
（Ｆ）のＲＳＳフォーマット情報とバージョン情報は、ステップＳ１１で取得したサーバ情報を使用する。ステップＳ１１で複数のＲＳＳフォーマット情報とバージョン情報を取得した場合には、いずれか一つのフォーマット情報とバージョン情報を使用する。本実施形態では、最初に取得できたＲＳＳフォーマット情報とバージョン情報を使用する構成とする。もちろんそれ以外の方法で、いずれかのフォーマット情報とバージョン情報に決定してもよい。生成されたカメラ設定情報は、外部記憶装置３０４に記憶される。このステップＳ１２は、カメラ設定情報生成手段に対応する。
【００４３】
次にステップＳ１３において、撮像装置１０２と接続をする。この処理は、例えばユーザが撮像装置１０２とＰＣ１０３とをケーブルなどで接続したことをＰＣ１０３が検知した場合に実行される。そしてステップＳ１４に進み、撮像装置１０２との接続が確立した後で、撮像装置１０２に対してステップＳ１２で作成したカメラ設定情報を出力する。ステップＳ１４が、カメラ設定情報出力手段に対応する。
【００４４】
一方、ステップＳ８でアカウントの作成に失敗したときはステップＳ１５に進み、作成依頼したアカウントが既に作成されているアカウントかどうかを判断する。本実施形態では、ステップＳ７から受け取るアカウント作成の成否に関する情報で、既存のアカウントかどうかを判断できるものとする。もし作成依頼したアカウントが既に存在していた場合はステップＳ１６に進むが、アカウントが存在していなかった場合はステップＳ１９に進んで、エラー処理を行う。
【００４５】
ステップＳ１６では、ステップＳ２でユーザが入力したパスワードが、既存のアカウントに対応したパスワードと一致しているかどうかをサーバ装置１０１に確認する。そしてステップＳ１７で、パスワードが一致していた場合はユーザ情報は完全に一致してると判断してステップＳ９に進む。このようにして、アカウントの作成に失敗した場合でも、既にサーバ装置１０１に作成済みのアカウントとユーザ情報が完全に一致した場合は、カメラ設定処理を行うことができるようにしている。またステップＳ１７で、パスワードが異なっていた場合はユーザ情報が一致していないと判断してステップＳ１８に進み、エラー処理を行う。ステップＳ１８では、ユーザに対して、このアカウントは既に使用されている、という旨のメッセージを表示してからアプリケーションプログラムを終了する。
【００４６】
尚、ステップＳ１９の処理は、アカウント作成に失敗し、かつアカウントは存在していなかった場合に実行される。通常はこのような状態になることはないので、このステップＳ１９に処理が移行することはないはずである。もしこのステップＳ１９に処理が移ってきた場合はサーバ装置１０１の何らかのエラーである可能性が高いので、サーバ装置１０１のエラーである旨のメッセージを表示してからアプリを終了する。
【００４７】
本実施形態に係るユーザ情報登録プログラムを実行するＰＣ１０３は、以上のような処理フローによって、撮像装置１０２に対して、サーバ情報やユーザ情報を登録することができる。これにより、任意のサーバ装置で任意のユーザアカウントを使用でき、そのサーバ装置の設定と撮像装置の設定を一度で行うことができる。またサーバ装置の情報を基に撮像装置の設定を行うので、撮像装置はサーバ装置に適したデータをアップロードすることができる。
【００４８】
次に、上記実施形態で説明したＰＣ１０３による動作を簡単に説明する。
【００４９】
図７は、本実施形態に係るＰＣ１０３がユーザ情報登録装置として機能して撮像装置１０２の設定を行う状態を説明する図で、前述の図１と共通する部分は同じ記号で示している。
【００５０】
図７において、ユーザ７００は、図４のフローチャートで示したように、サーバ装置１０１のアドレスとユーザ名、パスワードをＰＣ１０３に入力する。この処理によりＰＣ１０３は、前述のフローチャートで示すような処理を実行して、サーバ装置１０１とＰＣ１０３とをインターネットを通して接続する。こうしてサーバ装置１０１との接続が確立されると、ＰＣ１０３は、サーバ装置１０１に対してユーザ名とパスワードとアカウント作成依頼コマンドを送信してアカウント作成依頼を行う。これによりサーバ装置１０１はＰＣ１０３からアカウント作成依頼を受信し、そのときに受け取ったユーザ情報を基に、アカウントを作成する。そして、その作成したアカウントに対応する画像データアップロード場所とＲＳＳアップロード場所を用意する。その後、アカウント作成が成功したことをＰＣ１０３に通知する。
【００５１】
こうしてＰＣ１０３は、アカウント作成成功の通知をサーバ装置１０１から受信し、サーバ装置１０１から、作成したアカウントに対応した、画像データアップロードアドレスとＲＳＳアップロードアドレスを取得する。またＰＣ１０３は、サーバ装置１０１から、ＲＳＳフォーマット情報とＲＳＳバージョン情報を取得する。こうしてサーバ装置１０１から必要な全ての情報を取得した後、ＰＣ１０３は撮像装置１０２に設定するためのカメラ設定情報を生成し、その設定情報を撮像装置１０２に送信する。これにより撮像装置１０２は、ＰＣ１０３から、自機がサーバ装置１０１と通信するためのカメラ設定情報を取得して設定を行うことができる。
【００５２】
したがって、撮像装置１０２のユーザは、ＰＣ１０３と撮像装置を接続するだけでサーバ装置１０１に登録したユーザ情報と各アップロードアドレスを撮像装置に設定させることができるようになる。その結果、撮像装置１０２は、図８に示すように、それ以降は、撮影した画像データとＲＳＳファイルをサーバ装置１０１に直接送信してサーバ装置１０１に保存できるようになる。
【００５３】
図８は、本実施形態において、撮像装置１０２からサーバ装置１０１へ画像データをアップロードする状態を示す図である。
【００５４】
尚、こうして撮像装置１０２からサーバ装置１０１に画像データをアップロードした後、そのアップロードした画像データを他人に公開する場合は、サーバ装置１０１にあるＲＳＳファイルへのアドレスを教えることで画像データを公開可能となる。ＲＳＳファイルは更新情報を表現するので、画像データの閲覧者は、サーバ装置１０１で、あるＲＳＳファイルを見ることで画像データの更新状態も知ることができる。
【００５５】
［第２の実施形態］
次に本発明の第２の実施形態について説明する。本実施形態は、前述の第１の実施形態で説明したＰＣ１０３に、更に、画像データの閲覧者の情報を入力する手段と、閲覧者に設定情報を送信する手段を加えている。本実施形態に係るＰＣ（ユーザ情報登録装置）も前述の第１の実施形態の場合と同様に、パーソナルコンピュータ上で、この機能を実現するアプリケーションプログラムを起動することにより実現される。またサーバ装置１０１、撮像装置１０２の構成も前述の第１の実施形態と同様であるため、その説明を省略する。
【００５６】
また本実施形態に係るＰＣ１０３、サーバ装置１０１、撮像装置１０２では、管理データとしてＲＳＳを使用し、サーバ装置１０１の情報としてＲＳＳのフォーマット情報とバージョン情報とテンプレート情報を扱う。本実施形態に係る撮像装置１０２とサーバ装置１０１は、ＲＳＳを用いて画像データを管理することで、画像データの更新情報を表現することが可能となる。つまり、サーバ装置１０１の画像データを閲覧する閲覧者は、サーバ装置１０１にあるＲＳＳファイルを見れば、画像データの更新情報を知ることができる。
【００５７】
図９は、本実施形態に係るＰＣ１０３におけるユーザ情報登録処理の動作概要を説明するフローチャートである。尚、このフローチャートを実行するプログラムは、実行時に外部記憶装置３０４からＲＡＭ３０３にロードされており、ＣＰＵ３０１の制御の下に実行される。
【００５８】
ステップＳ２１，Ｓ２２では、前述の図４のステップＳ１，Ｓ２と同様にして、ステップＳ２１で、ユーザにサーバ装置１０１のアドレスを入力させる。このサーバ装置のアドレスがサーバ装置を指定する情報となる。尚、本実施形態では、サーバ装置のアドレスをユーザに直接入力させる例を示したが、このアドレス指定の方法は別の方法でもよい。例えば、前述の図６のように、サーバ装置のアドレスを複数の候補の中から選択するような方法でもよい。次にステップＳ２２で、ユーザにユーザ情報を入力させる。次にステップＳ２３に進み、画像データを公開したい閲覧者のメールアドレスを、ユーザに入力させる。
【００５９】
図１０は、これらステップＳ２１〜Ｓ２４の処理時に表示部３０６に表示されているＵＩ画面例を示す図である。この図１０で、前述の図５と共通する部分は同じ記号で示し、それらの説明を省略する。
【００６０】
図１０では、前述の図５の画面例と比較すると明らかなように、閲覧者情報を入力するための欄５１０，５１１が新たに設けられている。従ってステップＳ２３では、画像データを公開したい閲覧者のメールアドレスを欄５１０或は５１１に入力する（閲覧者情報入力手段に相当）。この図１０の例では、二人の閲覧者を指定できるようになっているが、一人或は２人以上を指定できるようにしても良い。尚、ここでは画像閲覧者の情報としてメールアドレスを入力する構成としたが、閲覧者の氏名などの、それ以外の情報を入力するような構成でもよい。
【００６１】
そしてステップＳ２４で、ユーザによって「設定ボタン」５０４が指示されたかどうかを判断し、「設定ボタン」５０４がクリックなどにより指示されるとステップＳ２５に進む。ステップＳ２５では、ステップＳ２１〜Ｓ２３で、ユーザによって入力された各項目に問題がないかを判断する。本実施形態では、このステップＳ２５で、入力していない項目がないか、またパスワードが短すぎないか等をチェックする。そして入力された項目に問題がない場合はステップＳ２７に進むが、何等かの問題があった場合はステップＳ２６に進み、エラーが発生した旨を表示してステップＳ２１に進む。
【００６２】
続くステップＳ２７〜３５の処理は、前述の図４のステップＳ６〜Ｓ１４の処理と同じであるため簡単に説明する。ステップＳ２７では、ステップＳ２１でユーザに指定されたアドレスに対応するサーバ装置１０１に接続する。そしてステップＳ２８で、接続したサーバ装置１０１に対してユーザアカウント作成の依頼を行う。このユーザアカウント作成の依頼に際して、ステップＳ２２でユーザが入力したユーザ名とパスワード情報とユーザアカウント作成依頼コマンドをサーバ装置１０１に対して送信する。またステップＳ２８では、サーバ装置１０１からアカウント作成の成否に関する情報を受け取る。そしてステップＳ２９で、サーバ装置１０１でユーザアカウントの作成が正しく行われたかどうかを判断する。
【００６３】
ユーザアカウントが正しく作成されるとステップＳ３０に進み、サーバ装置１０１から画像データのアップロードアドレスを取得する。この画像データのアップロードアドレスは、ステップＳ２８でサーバ装置１０１に作成を依頼したユーザアカウント用の画像データのアップロードアドレスである。次にステップＳ３１に進み、サーバ装置１０１から管理データのアップロードアドレスを取得する。本実施形態でも、管理データファイルとしてＲＳＳファイルを使用する。よって、管理データのアップロードアドレスは、ＲＳＳファイルのアップロードアドレス（ＲＳＳアップロードアドレス）として使用する。ここで取得するＲＳＳアップロードアドレスは、ステップＳ２８でサーバ装置１０１に作成を依頼したユーザアカウント用のＲＳＳアップロードアドレスである。ここでは画像管理データとしてＲＳＳファイルを使用する例を示したが、それ以外のデータを使用してもよい。
【００６４】
次にステップＳ３２に進み、サーバ装置１０１からサーバ装置で利用可能なＲＳＳのフォーマット情報とバージョン情報とテンプレート情報を含むサーバ情報を取得する。ここでサーバ装置が複数のＲＳＳのフォーマットとバージョンとテンプレートを扱える場合は、扱うことができる全ての情報を取得する。本実施形態では、サーバ情報としてＲＳＳのフォーマット情報とバージョン情報とテンプレート情報を扱う例を示したが、それ以外の情報を扱うような構成でもよい。次にステップＳ３３に進み、ステップＳ２２で取得したユーザ情報と、ステップＳ３０、Ｓ３１で取得したアドレス情報と、ステップＳ３２で取得したサーバ情報と、ステップＳ２３で取得した画像閲覧者情報を使って、カメラ設定情報を生成する。
【００６５】
このカメラ設定情報は、例えば以下示す情報である。
（Ｇ）画像データアップロードアドレス
（Ｈ）ＲＳＳアップロードアドレス
（Ｉ）閲覧者１用のＲＳＳファイル名
（Ｊ）閲覧者２用のＲＳＳファイル名
（Ｋ）ユーザアカウント
（Ｌ）ユーザパスワード
（Ｍ）ＲＳＳファイルのフォーマット情報、バージョン情報、テンプレート情報
【００６６】
（Ｇ）の画像データアップロードアドレスは、ステップＳ３０で取得したものをそのまま使用する。また（Ｈ）のＲＳＳアップロードアドレスは、ステップＳ３１で取得したものをそのまま使用する。
（Ｉ）の閲覧者１用のＲＳＳファイル名は、本実施形態では、閲覧者１のメールアドレスに拡張子「xml」をつけたファイル名とする。例えば閲覧者１のメールアドレスが「testviewer01@test.mail.com」の場合は、ＲＳＳファイル名は「testviewer01@test.mail.com.xml」となる。もちろんそれ以外の方法で、ＲＳＳファイル名を決定してもよい。
（Ｊ）の閲覧者２用のＲＳＳファイル名も閲覧者１の場合と同様に、閲覧者２のメールアドレスに拡張子「xml」をつけたファイル名とする。（Ｋ）のユーザアカウントと、（Ｌ）のパスワードは、ステップＳ２２で取得したユーザ情報を使用する。また、（Ｍ）のＲＳＳフォーマット情報とバージョン情報とテンプレート情報は、ステップＳ３２で取得したサーバ情報を使用する。ステップＳ３２で、複数のＲＳＳフォーマット情報とバージョン情報とテンプレート情報を取得した場合には、いずれか一つを使用する。本実施形態では、最初に取得できた情報を使用する構成とする。もちろんそれ以外の方法で、いずれかに決定してもよい。
【００６７】
そしてステップＳ３４で、撮像装置１０２と接続する。そしてステップＳ３５に進み、撮像装置１０２との接続が確立した後、その撮像装置１０２に対してステップＳ３３で作成したカメラ設定情報を出力する。次にステップＳ３６に進み、ステップＳ３０，Ｓ３１で取得したアドレス情報と、ステップＳ３２で取得したサーバ情報と、ステップＳ２３で取得した画像閲覧者情報を使って、各閲覧者に対応する閲覧者設定情報を生成する（閲覧者設定情報生成手段に相当）。本実施形態では、閲覧者は、前述の図１０で説明したように、閲覧者１と閲覧者２の二人分設定できる構成としているので、閲覧者設定情報も２つ生成する。閲覧者１に設定するための情報として、次の情報を扱う。
（Ｎ）閲覧者１用のＲＳＳファイルへのアドレス
（Ｏ）ＲＳＳファイルのフォーマット情報、バージョン情報、テンプレート情報
（Ｎ）の閲覧者１用のＲＳＳファイルへのアドレスは、サーバ装置１０１にアップロードされるＲＳＳファイルへのフルパスである。これは（Ｈ）のＲＳＳアップロードアドレスと、（Ｉ）の閲覧者１用のＲＳＳファイル名を組み合わせた情報となる。（Ｏ）の情報は、（Ｍ）と同じものを使用する。閲覧者２に設定するための情報としては、閲覧者１の場合と同様に次の情報を扱う。
（Ｐ）閲覧者２用のＲＳＳファイルへのアドレス
（Ｑ）ＲＳＳファイルのフォーマット情報、バージョン情報、テンプレート情報
（Ｐ）の閲覧者２用のＲＳＳファイルへのアドレスは、サーバ装置１０１にアップロードされるＲＳＳファイルへのフルパスである。これは（Ｈ）のＲＳＳアップロードアドレスと、（Ｊ）の閲覧者２用のＲＳＳファイル名を組み合わせた情報となる。（Ｏ）の情報は、（Ｍ）と同じものを使用する。
【００６８】
次にステップＳ３７で、ステップＳ２３で入力された各閲覧者のメールアドレスに、それぞれに対応する閲覧者設定情報をメールに添付して送信する。閲覧者１のメールアドレスには、ステップＳ３６で生成した閲覧者１用の閲覧者設定情報を添付してメール送信する。同様に閲覧者２のメールアドレスには、ステップＳ３６で生成した閲覧者２用の閲覧者設定情報を添付してメール送信する。
【００６９】
またステップＳ３８〜Ｓ４２の処理は、前述の図４のステップＳ１５〜Ｓ１９の処理と同じであるため、その説明を省略する。
【００７０】
以上説明した本実施形態では、接続された撮像装置１０２に対してユーザ情報登録を行うことができる。このような構成により、任意のサーバ装置で任意のユーザアカウントを使用でき、そのサーバ装置の設定と撮像装置の設定を一度で行うことができるようになる。またサーバ装置の情報を基に撮像装置の設定を行うので、撮像装置は、サーバ装置に適したデータをアップロードすることができる。
【００７１】
また本実施形態によれば、画像データを見て欲しい閲覧者に対しても画像閲覧アドレスとサーバ装置の情報を送信するので、指定された閲覧者だけがサーバ装置にアクセスしてその画像データを見ることができる。
【００７２】
具体的には、前述の第１の実施形態では、撮像装置１０２からサーバ装置１０１にアップロードした画像データを他人に公開する場合は、サーバ装置１０１にあるＲＳＳファイルへのアドレスを別途教える必要があった。
【００７３】
これに対して本実施形態では、それぞれの閲覧者に、サーバ装置１０１にあるＲＳＳファイルへのアドレスと、ＲＳＳのフォーマット情報、バージョン情報を伝えるので、閲覧者はＲＳＳリーダを用いて画像データを手軽に見ることができる。また各閲覧者で異なるＲＳＳファイルを用いる構成としたので、撮像装置は各閲覧者に公開する画像データをそれぞれ別々に指定することもできる。
【００７４】
（他の実施形態）
なお本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００７５】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００７６】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７７】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７８】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００７９】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００８０】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００８１】
【図１】第１の実施形態に係る画像管理システムの構成を示す図である。
【図２】第１の実施形態に係る撮像装置の構成を示すブロック図である。
【図３】第１の実施形態に係るサーバ装置やＰＣを実現するコンピュータ装置（情報処理装置）の構成を示すブロック図である。
【図４】第１の実施形態に係る情報処理装置におけるユーザ情報登録処理の動作概要を説明するフローチャートである。
【図５】第１の実施形態に係るユーザ情報の登録画面の一例を示す図である。
【図６】第１の実施形態において、サーバ装置のアドレス一覧を表示し、その一覧からユーザが所望するサーバ装置のアドレスを選択する画面例を示す図である。
【図７】第１の実施形態に係るＰＣがユーザ情報登録装置として機能して撮像装置の設定を行う状態を説明する図である。
【図８】第１の実施形態において、撮像装置からサーバ装置へ画像データをアップロードする状態を示す図である。
【図９】第２の実施形態に係るＰＣにおけるユーザ情報登録処理の動作概要を説明するフローチャートである。
【図１０】第２の実施形態において、ステップＳ２１〜Ｓ２４の処理時に表示部に表示されているＵＩ画面例を示す図である。
【図１】
0005374057.tif 000002
【図２】
0005374057.tif 000003
【図３】
0005374057.tif 000004
【図４】
0005374057.tif 000005
【図５】
0005374057.tif 000006
【図６】
0005374057.tif 000007
【図７】
0005374057.tif 000008
【図８】
0005374057.tif 000009
【図９】
0005374057.tif 000010
【図１０】
0005374057.tif 000011